(57)【要約】【課題】  使用者の負担が軽減されかつ測温作業が効率化された放射温度計を提供することである。【解決手段】  本体部１００Ｂは、第１の表示パネル９４ａおよび第２の表示パネル９４ｂを備える。第１の表示パネル９４ａには温度値が表示され、第２の表示パネル９４ｂには放射率が表示される。測定対象物の放射率が明らかな場合には、使用者は、第２に表示パネル９４ｂに表示される放射率を調整し、測定対象物の放射率を設定する。測定対象物の放射率が不明な場合には、使用者は、第１の表示パネル９４ａに表示される温度値を調整し、測定対象物の放射率を設定する。【選択図】        図４
2006292713.tif 000002
【特許請求の範囲】
【請求項１】
測定対象物からの赤外線エネルギーを検出する赤外線検出手段と、
温度値および放射率を表示する表示部と、
前記表示部に表示される温度値を調整する第１の調整手段と、
前記表示部に表示される放射率を調整する第２の調整手段と、
前記第１の調整手段により調整された温度値および前記赤外線検出手段により検出された赤外線エネルギーに基づいて前記測定対象物の放射率を算出する放射率算出手段と、
前記第２の調整手段により調整された放射率または前記放射率算出手段により算出された放射率を記憶する記憶手段と、
前記赤外線検出手段により検出された赤外線エネルギーおよび前記記憶手段により記憶された放射率に基づいて前記測定対象物の温度値を算出する温度算出手段とを備え、
前記表示部は、前記温度算出手段により算出された温度値または前記第１の調整手段により調整された温度値を表示するとともに、前記放射率算出手段により算出された放射率または前記第２の調整手段により調整された放射率を表示することを特徴とする放射温度計。
【請求項２】
前記表示部に表示される温度値を調整可能な状態に切り替える第１の切替手段と、
前記表示部に表示される放射率を調整可能な状態に切り替える第２の切替手段と、
前記第１の調整手段により温度値の調整が可能な状態であることを示す第１の指示手段と、
前記第２の調整手段により放射率の調整が可能な状態であることを示す第２の指示手段とをさらに備えたことを特徴とする請求項１記載の放射温度計。
【請求項３】
前記第１の指示手段は、前記第１の調整手段により温度値の調整が可能な状態である場合に前記表示部に表示される温度値の表示形態を変化させる第１の表示形態変化手段を含み、
前記第２の指示手段は、前記第２の調整手段により放射率の調整が可能な状態である場合に前記表示部に表示される放射率の表示形態を変化させる第２の表示形態変化手段を含むことを特徴とする請求項２記載の放射温度計。
【請求項４】
前記表示形態は、点滅状態であることを特徴とする請求項３記載の放射温度計。
【請求項５】
前記第１の指示手段は、前記第１の調整手段により温度値の調整が可能な状態である場合に点灯状態になる第１の表示灯を含み、
前記第２の指示手段は、前記第２の調整手段により温度値の調整が可能な状態である場合に点灯状態になる第２の表示灯を含むことを特徴とする請求項２〜４のいずれかに記載の放射温度計。
【請求項６】
前記表示部は第１および第２の表示領域を備え、前記第１および第２の表示領域のうち一方に温度値が表示され、他方に放射率が表示されることを特徴とする請求項１〜５のいずれかに記載の放射温度計。
【請求項７】
前記第１の表示領域に表示される温度値または放射率と前記第２の表示領域に表示される放射率または温度値とを入れ替える入替手段をさらに備えることを特徴とする請求項６記載の放射温度計。
【発明の詳細な説明】
【技術分野】
【０００１】
本発明は、物体から放射される赤外線エネルギーを検出することによりその物体の温度を測定する放射温度計に関する。
【背景技術】
【０００２】
放射温度計は、測定対象物から放射される赤外線エネルギーを検出し、その赤外線エネルギーを測定対象物の放射率で補正することにより測定対象物の実際の温度を測定するものである（例えば、特許文献１参照）。このような放射温度計は、測定対象物と非接触で測温を行うことができるので、熱伝導率の悪い物体や熱容量の小さい物体でも正確に温度を測定することができる。また、移動物体や回転体の温度も高速かつ高精度に測定することができる。したがって、放射温度計は、例えばファクトリーオートメーション（ＦＡ）において、種々の物体の温度管理に用いられている。
【特許文献１】特開平８−２７８２０３号公報
【発明の開示】
【発明が解決しようとする課題】
【０００３】
しかしながら、放射率は物体により異なるので、測定対象物ごとに放射率を設定する必要がある。したがって、測定対象物の放射率を覚えておくか、あるいは測温の際に放射率表を常に形態しなければならず、使用者の負担が大きかった。また、使用者が測定対象物の放射率を知らない場合、あるいは放射率表が使用者の手元にない場合には測温作業が行えず、作業効率が大幅に低下していた。
【０００４】
本発明の目的は、使用者の負担が軽減されかつ測温作業が効率化された放射温度計を提供することである。
【課題を解決するための手段】
【０００５】
本発明に係る放射温度計は、測定対象物からの赤外線エネルギーを検出する赤外線検出手段と、温度値および放射率を表示する表示部と、表示部に表示される温度値を調整する第１の調整手段と、表示部に表示される放射率を調整する第２の調整手段と、第１の調整手段により調整された温度値および赤外線検出手段により検出された赤外線エネルギーに基づいて測定対象物の放射率を算出する放射率算出手段と、第２の調整手段により調整された放射率または放射率算出手段により算出された放射率を記憶する記憶手段と、赤外線検出手段により検出された赤外線エネルギーおよび記憶手段により記憶された放射率に基づいて測定対象物の温度値を算出する温度算出手段とを備え、表示部は、温度算出手段により算出された温度値または第１の調整手段により調整された温度値を表示するとともに、放射率算出手段により算出された放射率または第２の調整手段により調整された放射率を表示するものである。
【０００６】
本発明に係る放射温度計においては、表示部に温度値および放射率が表示される。使用者は、第１の調整手段により表示部に表示される温度値を調整することができる。また、使用者は、第２の調整手段により表示部に表示される放射率を調整することができる。測定対象物からの赤外線エネルギーが赤外線検出手段により検出される。第１の調整手段により調整された温度値および赤外線検出手段により検出された赤外線エネルギーに基づいて放射率算出手段により測定対象物の放射率が算出される。第２の調整手段により調整された放射率または放射率算出手段により算出された放射率が記憶手段により記憶される。赤外線検出手段により検出された赤外線エネルギーおよび記憶手段により記憶された放射率に基づいて温度算出手段により測定対象物の温度値が算出される。
【０００７】
このように、使用者が、第１の調整手段により表示部に表示される温度値を調整した場合、放射率算出手段により測定対象物の放射率が算出され、その算出された放射率が記憶手段により記憶される。一方、使用者が第２の調整手段により表示部に表示される放射率を調整した場合、その調整された放射率が記憶手段により記憶される。
【０００８】
したがって、測定対象物の放射率が明らかな場合は、第２の調整手段により表示部に表示される放射率を調整することにより測定対象物の放射率を設定することができ、測定対象物の放射率が不明な場合は、第１の調整手段により表示部に表示される温度値を調整することにより測定対象物の放射率を設定することができる。つまり、測定対象物の温度値または放射率のうちどちらか一方が明らかであれば放射率の設定が可能になる。そのため、測定対象物の温度を測定する他の手段がある場合には、使用者は、種々の物体の放射率を覚えておく必要がなく、また、測温の際に放射率表を携帯する必要もない。
【０００９】
また、表示部には、温度算出手段により算出された温度値または第１の調整手段により調整された温度値が表示されるとともに、放射率算出手段により算出された放射率または第２の調整手段により調整された放射率が表示される。
【００１０】
このように、温度値および放射率が表示部により同時に表示されるので、温度値または放射率を調整する際に、温度値の表示と放射率の表示とを切り替える必要がない。そのため、放射率の設定に要する時間を短縮することができる。
【００１１】
これらの結果、使用者の負担を軽減しかつ測温作業を効率化することが可能になる。
【００１２】
表示部に表示される温度値を調整可能な状態に切り替える第１の切替手段と、表示部に表示される放射率を調整可能な状態に切り替える第２の切替手段と、第１の調整手段により温度値の調整が可能な状態であることを示す第１の指示手段と、第２の調整手段により放射率の調整が可能な状態であることを示す第２の指示手段とをさらに備えてもよい。
【００１３】
この場合、第１の切替手段により表示部に表示される温度値が調整可能な状態に切り替えられた際には、使用者は、そのことを第１の指示手段により認識することができる。また、第２の切替手段により表示部に表示される放射率が調整可能な状態に切り替えられた際には、使用者は、そのことを第２の指示手段により認識することができる。それにより、使用者は、表示部に表示される温度値および放射率のうちどちらが調整可能な状態にあるのかを容易に把握することができる。
【００１４】
第１の指示手段は、第１の調整手段により温度値の調整が可能な状態である場合に表示部に表示される温度値の表示形態を変化させる第１の表示形態変化手段を含み、第２の指示手段は、第２の調整手段により放射率の調整が可能な状態である場合に表示部に表示される放射率の表示形態を変化させる第２の表示形態変化手段を含んでもよい。
【００１５】
この場合、温度値が調整可能な状態にある場合には、第１の表示形態変化手段により温度値の表示形態が変化する。また、放射率が調整可能な状態にある場合には、第２の表示形態変化手段により放射率の表示形態が変化する。それにより、使用者は、表示部に表示される温度値および放射率のうちどちらが調整可能な状態にあるかを視覚的に把握することができる。
【００１６】
表示形態は、点滅状態であってもよい。この場合、使用者は、表示部に表示される温度値および放射率のうちどちらが調整可能な状態にあるかをより明確に把握することができる。
【００１７】
第１の指示手段は、第１の調整手段により温度値の調整が可能な状態である場合に点灯状態になる第１の表示灯を含み、第２の指示手段は、第２の調整手段により温度値の調整が可能な状態である場合に点灯状態になる第２の表示灯を含んでもよい。
【００１８】
この場合、温度値が調整可能な状態にある場合には、第１の表示灯が点灯状態になり、放射率が調整可能な状態にある場合には、第２の表示灯が点灯状態になる。それにより、使用者は、表示部に表示される温度値および放射率のうちどちらが調整可能な状態にあるのかをさらに容易に把握することができる。
【００１９】
表示部は第１および第２の表示領域を備え、第１および第２の表示領域のうち一方に温度値が表示され、他方に放射率が表示されてもよい。この場合、使用者は、表示部に表示される温度値および放射率のうちどちらが調整可能な状態にあるのかをさらに明確に把握することができる。
【００２０】
第１の表示領域に表示される温度値または放射率と第２の表示領域に表示される放射率または温度値とを入れ替える入替手段をさらに備えてもよい。この場合、使用者が第１の表示領域および第２の表示領域に表示される値を任意に入れ替えることができるので、使い勝手が向上する。
【発明の効果】
【００２１】
本発明によれば、測定対象物の温度値または放射率のうちどちらか一方が明らかであれば放射率の設定が可能になる。そのため、測定対象物の温度を測定する他の手段がある場合には、使用者は、種々の物体の放射率を覚えておく必要がなく、また、測温の際に放射率表を携帯する必要もない。
【００２２】
また、温度値および放射率が表示部により同時に表示されるので、温度値または放射率を調整する際に、温度値の表示と放射率の表示とを切り替える必要がない。そのため、放射率の設定に要する時間を短縮することができる。
【００２３】
これらの結果、使用者の負担を軽減しかつ測温作業を効率化することが可能になる。
【発明を実施するための最良の形態】
【００２４】
以下、本発明の実施の形態に係る放射温度計について図面を参照しながら説明する。
【００２５】
（第１の実施の形態）
図１は、本発明の第１の実施の形態に係る放射温度計のブロック図である。
【００２６】
図１に示すように、本実施の形態に係る放射温度計１００は、ヘッド部１００Ａおよび本体部１００Ｂを備える。なお、図１においては図示していないが、本体部１００Ｂは表示部９４を有する。表示部９４については後述する。
【００２７】
ヘッド部１００Ａおよび本体部１００Ｂは互いにケーブル８０により接続されている。また、本体部１００Ｂはケーブル８１を介して図示しない外部装置に接続される。
【００２８】
図２は、図１のヘッド部１００Ａのブロック図であり、図３は、図１の本体部１００Ｂのブロック図である。
【００２９】
図２に示すように、ヘッド部１００Ａは、サーモパイル１０、プリアンプ基板２０、メイン基板３０、電源基板４０および２つのレーザダイオード６０，７０を備える。
【００３０】
サーモパイル１０は、赤外線受光部１１およびサーミスタ１２を備える。プリアンプ基板２０には、第１の信号増幅部２１および第２の信号増幅部２２が実装される。メイン基板３０には、第３の信号増幅部３１、アナログデジタル変換回路（以下、ＡＤ変換回路と略記する。）３２，３３、ＣＰＵ（中央演算処理装置）３４、記憶部３５およびレーザ駆動回路３６が実装される。
【００３１】
電源基板４０には、電源回路４１、通信回路４２およびレーザ駆動回路４３が実装される。電源基板４０には、電源線および信号線を含むケーブル８０が接続されている。
【００３２】
サーモパイル１０において、赤外線受光部１１は測定対象物から放射される赤外線エネルギーを検出する。サーミスタ１２はサーモパイル１０の内部温度を検出する。
【００３３】
プリアンプ基板２０において、第１の信号増幅部２１は赤外線受光部１１の出力信号を増幅する。第２の信号増幅部２２はサーミスタ１２の出力信号を増幅する。
【００３４】
メイン基板３０において、第３の信号増幅部３１は第１の信号増幅部２１の出力信号を増幅する。ＡＤ変換回路３２は、第１の信号増幅部２１の出力信号をデジタル信号に変換し、そのデジタル信号を測定対象物の検出温度値としてＣＰＵ３４へ与える。ＡＤ変換回路３３は、第２の信号増幅部２２の出力信号をデジタル信号に変換し、そのデジタル信号を内部温度値としてＣＰＵ３４へ与える。
【００３５】
ＣＰＵ３４は、これらの検出温度値および内部温度値を通信回路４２およびケーブル８０を通じて本体部１００Ｂに与える。
【００３６】
また、ＣＰＵ３４は、ＡＤ変換回路３２の出力信号のレベルに基づいて第３の信号増幅部３１のゲインをフィードバック制御する。さらに、ＣＰＵ３４は、レーザ駆動回路３６，４３の動作を制御する。
【００３７】
記憶部３５には、サーモパイル１０に関する情報等が記憶されている。サーモパイル１０に関する情報とは、例えば、赤外線受光部１１のゲインおよびオフセット値、サーミスタ１２のゲインおよびオフセット値、ならびにサーモパイルの測定温度範囲等である。
【００３８】
電源基板４０において、電源回路４１は本体部１００Ｂからケーブル８０を通じて与えられる電力をヘッド部１００Ａの各構成部に供給する。
【００３９】
通信回路４２およびレーザ駆動回路４３は、ともにメイン基板３０のＣＰＵ３４と接続されている。
【００４０】
通信回路４２は、上述のように、ケーブル８０を介してＣＰＵ３４と本体部１００Ｂとの間で通信を行う。レーザ駆動回路４３は、ＣＰＵ３４の制御によりレーザダイオード７０を駆動する。レーザダイオード６０，７０から出射されるレーザ光は測定対象物の測定箇所に照射される。
【００４１】
なお、図２において、サーモパイル１０はサーミスタ１２を備えるが、これに限定されず、サーミスタ１２をサーモパイル１０外に設けてもよい。
【００４２】
また、プリアンプ基板２０、メイン基板３０および電源基板４０上の各構成部の設けられる基板上の位置については、図２の例に特に限定されない。
【００４３】
図３に示すように、本体部１００Ｂは、電源回路９１、通信回路９２、ＣＰＵ９３、表示部９４、記憶部９５、操作設定部９６および外部出力回路９７を備える。
【００４４】
電源回路９１および通信回路９２にはケーブル８０が接続されている。電源回路９１は、電池等の電力供給源を備え、その電力を本体部１００Ｂの各構成部およびヘッド部１００Ａに供給する。通信回路９２は、ケーブル８０を介してＣＰＵ９３とヘッド部１００Ａとの間で通信を行う。電源回路９１は、例えば、外部から供給される電力を一定の電圧にして供給する定電圧回路からなる。
【００４５】
記憶部９５には、ＣＰＵ９３が測定対象物の温度値および放射率を算出するための演算式が記憶されている。また、記憶部９５には、測定対象物の放射率が記憶される。放射率の設定方法については後述する。
【００４６】
ＣＰＵ９３は、本体部１００Ｂの各構成部の動作を制御する。また、ＣＰＵ９３は、ヘッド部１００Ａから与えられる検出温度値および内部温度値ならびに記憶部９５に記憶されている放射率に基づいて、測定対象物の温度値を算出する。
【００４７】
さらに、ＣＰＵ９３は、算出された温度値を数値として表示部９４に表示するとともに外部出力回路９７からアナログ信号およびデジタル信号としてケーブル８１を介して外部に出力する。
【００４８】
次に、本実施の形態に係る放射温度計１００の概略構造について説明する。
【００４９】
図４は、本実施の形態に係る放射温度計の一例を示す外観斜視図である。
【００５０】
ヘッド部１００Ａの各構成部は略直方体形状のヘッドケーシングＨＫに内蔵される。ヘッドケーシングＨＫは、上面ＨＫＵ、下面ＨＫＤ、前面ＨＫＦ、背面ＨＫＢおよび側面ＨＫＳ１，ＨＫＳ２を有する。
【００５１】
以下の説明においては、図４の矢印Ｘ，Ｙ，Ｚに示すように、側面ＨＫＳ１，ＨＫＳ２に垂直な方向をＸ方向と呼び、前面ＨＫＦおよび背面ＨＫＢに垂直な方向をＹ方向と呼び、上面ＫＵおよび下面ＨＫＤに垂直な方向をＺ方向と呼ぶ。
【００５２】
図４において、ヘッドケーシングＨＫの前面ＨＫＦに赤外線集光部ＨＫＨおよびレーザ出射部ＨＫ６０，ＨＫ７０が設けられる。
【００５３】
赤外線集光部ＨＫＨにおいては、測定対象物から放射される赤外線が取り込まれる。後述するレーザダイオード６０，７０により発生されたレーザ光が、レーザ出射部ＨＫ６０，ＨＫ７０から測定箇所へ向けて出射される。それにより、使用者は、測定対象物の測定箇所を容易に認識することができる。
【００５４】
背面ＨＫＢには、ケーブル８０が接続される。このケーブル８０は、本体部１００Ｂに接続される。
【００５５】
本体部１００Ｂの各構成部は、略直方体形状のメインケーシングＭＫに内蔵される。メインケーシングＭＫは、上面ＭＫＵ、下面ＭＫＤ、前面ＭＫＦ、背面ＭＫＢおよび側面ＭＫＳ１，ＭＫＳ２を有する。
【００５６】
側面ＭＫＳ１には、ケーブル８０が接続される。このケーブル８０により、ヘッド部１００Ａと本体部１００Ｂとが連結されている。また、側面ＭＫＳ２には、ケーブル８１が接続されている。このケーブル８１は、図示しない外部装置に接続される。
【００５７】
メインケーシングＭＫの前面ＭＫＦには、表示部９４および操作設定部９６が設けられる。
【００５８】
表示部９４は、第１の表示パネル９４ａおよび第２の表示パネル９４ｂを有する。第１の表示パネル９４ａは、第１の７セグメントＬＥＤ１０１ａおよび第１の表示灯１０２ａを含む。また、第２の表示パネル９４ｂは、第２の７セグメントＬＥＤ１０１ｂおよび第２の表示灯１０２ｂを含む。本実施の形態においては、第１の表示パネル９４ａには、第１の７セグメントＬＥＤ１０１ａにより温度値が表示され、第２の表示パネル９４ｂには、第２の７セグメントＬＥＤ１０１ｂにより放射率が表示される。
【００５９】
操作設定部９６は、上キー９６ａ、下キー９６ｂ、モードキー９６ｃおよびセットキー９６ｄを有する。これらのキーは、使用者が第１の表示パネル９４ａに表示される温度値および第２の表示パネル９４ｂに表示される放射率を調整する際に用いられる。
【００６０】
ここで、放射率の設定方法について図面を用いて説明する。
【００６１】
図５は、図３のＣＰＵ９３の放射率設定処理の一例を示すフローチャートであり、図６、図７および図８は、放射率設定処理時の表示部９４の状態の一例を示した図である。なお、図６および図７では、温度値が１２３．０℃で放射率が１．００の測定対象物を測温する場合の放射率の設定過程を示している。また、図６（ａ）は放射率設定処理開始前の表示部９４の状態を示している。本例では、測定された温度値が第１の表示パネル９４ａに１２７．５℃と表示され、放射率が第２の表示パネル９４ｂに０．９５と表示されている。
【００６２】
図５に示すように、まず、ＣＰＵ９３はセットキー９６ｄ（図６参照）が押下されたか否かを判別する（ステップＳ１）。セットキー９６ｄが押下されていない場合、ＣＰＵ９３は、セットキー９６ｄが押下されるまで待機する。
【００６３】
ステップＳ１において、使用者が放射率設定処理を開始しようとしてセットキー９６ｄを押下した場合、ＣＰＵ９３は、図６（ｂ）に示すように、第１の７セグメントＬＥＤ１０１ａを点滅させるとともに、第１の表示パネル９４ａに表示される温度値を調整可能な状態にする（ステップＳ２）。このように、第１の７セグメントＬＥＤ１０１ａを点滅させることにより、使用者は、第１の表示パネル９４ａに表示される温度値が調整可能な状態であることを容易に認識することができる。なお、第１の表示パネル９４ａに表示される温度値が調整可能な状態になっている場合は、第２の表示パネル９４ｂに表示される放射率の調整は不可能な状態になる。
【００６４】
次に、ＣＰＵ９３は、セットキー９６ｄが押下されたか否かを判別する（ステップＳ３）。セットキー９６ｄが押下された場合、ＣＰＵ９３は、図６（ｃ）に示すように、第２の７セグメントＬＥＤ１０１ｂを点滅させるとともに、第２の表示パネル９４ｂに表示される放射率を調整可能な状態にし、さらに、第１の７セグメント１０１ａを通常の点灯状態に戻す（ステップＳ４）。これにより、使用者は、放射率が調整可能な状態であることを容易に認識することができる。なお、第２の表示パネル９４ｂに表示される放射率が調整可能な状態になっている場合は、第１の表示パネル９４ａに表示される温度値の調整は不可能な状態になる。
【００６５】
次に、ＣＰＵ９３は、セットキー９６ｄが押下されたか否かを判別する（ステップＳ５）。セットキー９６ｄが押下された場合、ＣＰＵ９３は、第１および第２の７セグメントＬＥＤ１０１ａ，１０１ｂを通常の点灯状態にし、第１の表示パネル９４ａに温度値を表示するとともに第２の表示パネル９４ｂに放射率を表示する（ステップＳ６）。この場合、ＣＰＵ９３は、放射率設定処理開始前の放射率に基づいて温度値を算出するので、表示部９４に表示される温度値および放射率は放射率設定処理開始前と等しくなる。本例では、図６（ａ）の状態になり、温度値が第１の表示パネル９４ａに１２７．５℃と表示され、放射率が第２の表示パネル９４ｂに０．９５と表示される。
【００６６】
ステップＳ３において、セットキー９６ｄが押下されていない場合、ＣＰＵ９３は、上キー９６ａまたは下キー９６ｂが押下されたか否かを判別する（ステップＳ７）。上キー９６ａまたは下キー９６ｂが押下されていない場合、ＣＰＵ９３は、ステップＳ３の処理に戻る。
【００６７】
ステップＳ７において、上キー９６ａまたは下キー９６ｂが押下された場合、ＣＰＵ９３は、第１の表示パネル９４ａに表示される温度値を変更する（ステップＳ８）。例えば、ステップＳ７において表示部９４が図６（ｂ）の状態である場合に、使用者が下キー９６ｂを押下すると、図７（ａ）に示すように、第１の表示パネル９４ａに表示される温度値が１２７．４℃に変更される。
【００６８】
次に、ＣＰＵ９３は、セットキー９６ｄが押下されたか否かを判別する（ステップＳ９）。セットキー９６ｄが押下されていない場合、ＣＰＵ９３は、上キー９６ａまたは下キー９６ｂが押下されたか否かを判別する（ステップＳ１０）。上キー９６ａまたは下キー９６ｂが押下されていない場合、ＣＰＵ９３は、ステップＳ９の処理に戻る。
【００６９】
ステップＳ１０において、上キー９６ａまたは下キー９６ｂが押下された場合、ＣＰＵ９３は、第１の表示パネル９４ａに表示される温度値を変更する（ステップＳ１１）。その後、ＣＰＵ９３は、ステップＳ９の処理に戻る。例えば、ステップＳ１０において表示部９４が図７（ａ）の状態である場合に、使用者が下キー９６ｂを押下すると、図７（ｂ）に示すように、第１の表示パネル９４ａに表示される温度値が１２７．３℃に変更される。
【００７０】
これらステップＳ９、ステップＳ１０およびステップＳ１１の処理を繰り返すことすなわち上キー９６ａまたは下キー９６ｂを所定回押下することにより、第１の表示パネル９４ａに表示される温度値を所望の値に変更することができる。本例では、図７（ｃ）に示すように、第１の表示パネル９４ａに表示される温度値が１２３．０℃になるまで、使用者により下キー９６ｂが所定回押下される。
【００７１】
ステップＳ９において、セットキー９６ｄが押下された場合、ＣＰＵ９３は、第１の表示パネル９４ａに現在表示されている温度値ならびに図２のヘッド部１００Ａから与えられる検出温度値および内部温度値に基づいて放射率を算出し、算出した放射率を図３の記憶部９５に記憶する（ステップＳ１２）。本例では、第１の表示パネル９４ａに表示されている温度値１２３．０℃に基づいて放射率が１．００と算出されたものとする。
【００７２】
次に、ＣＰＵ９３は、記憶部９５に記憶された放射率ならびに上記の検出温度値および内部温度値に基づいて測定対象物の温度値を算出する（ステップＳ１３）。本例では、温度値が１２３．０℃と算出されたものとする。
【００７３】
次に、ＣＰＵ９３は、ステップＳ６の処理に進み、第１および第２の７セグメントＬＥＤ１０１ａ，１０１ｂを通常の点灯状態にし、ステップＳ１３において算出された温度値を第１の表示パネル９４ａに表示するとともに記憶部９５に記憶された放射率を第２の表示パネル９４ｂに表示する。本例では、図７（ｄ）に示すように、温度値が第１の表示パネル９４ａに１２３．０℃と表示され、放射率が第２の表示パネル９４ｂに１．００と表示される。これにより、放射率設定処理が終了する。
【００７４】
ステップＳ５において、セットキー９６ｄが押下されていない場合、ＣＰＵ９３は、上キー９６ａまたは下キー９６ｂが押下されたか否かを判別する（ステップＳ１４）。上キー９６ａまたは下キー９６ｂが押下されていない場合、ＣＰＵ９３は、ステップＳ５の処理に戻る。
【００７５】
ステップＳ１４において、上キー９６ａまたは下キー９６ｂが押下された場合、ＣＰＵ９３は、第２の表示パネル９４ｂに表示される放射率を変更する（ステップＳ１５）。例えば、ステップＳ１４において表示部９４が図６（ｃ）の状態である場合に、使用者が上キー９６ａを押下すると、図８（ａ）に示すように、第２の表示パネル９４ｂに表示される放射率が０．９６に変更される。
【００７６】
次に、ＣＰＵ９３は、セットキー９６ｄが押下されたか否かを判別する（ステップＳ１６）。セットキー９６ｄが押下されていない場合、ＣＰＵ９３は、上キー９６ａまたは下キー９６ｂが押下されたか否かを判別する（ステップＳ１７）。上キー９６ａまたは下キー９６ｂが押下されていない場合、ＣＰＵ９３は、ステップＳ１６の処理に戻る。
【００７７】
ステップＳ１７において、上キー９６ａまたは下キー９６ｂが押下された場合、ＣＰＵ９３は、第２の表示パネル９４ｂに表示される放射率を変更する（ステップＳ１８）。その後、ＣＰＵ９３は、ステップＳ１６の処理に戻る。例えば、ステップＳ１７において表示部９４が図８（ａ）の状態である場合に、使用者が上キー９６ａを押下すると、図８（ｂ）に示すように、第２の表示パネル９４ｂに表示される放射率が０．９７に変更される。
【００７８】
これらステップＳ１６、ステップＳ１７およびステップＳ１８の処理を繰り返すことすなわち上キー９６ａまたは下キー９６ｄを所定回押下することにより、第２の表示パネル９４ｂに表示される放射率を所望の値に変更することができる。本例では、図８（ｃ）に示すように、第２の表示パネル９４ｂに表示される放射率が１．００になるまで、使用者により上キー９６ａが所定回押下される。
【００７９】
ステップＳ１６において、セットキー９６ｄが押下された場合、ＣＰＵ９３は、第２の表示パネル９４ｂに現在表示されている放射率を図３の記憶部９５に記憶する（ステップＳ１９）。それにより、放射率の値が設定される。本例では、放射率は、１．００に設定される。
【００８０】
次に、ＣＰＵ９３は、ステップＳ１３の処理に進み、記憶部９５に記憶された放射率ならびに上記の検出温度値および内部温度値に基づいて測定対象物の温度値を算出する。本例では、温度値が１２３．０℃と算出されたものとする。
【００８１】
次に、ＣＰＵ９３は、ステップＳ６の処理に進み、第１および第２の７セグメントＬＥＤ１０１ａ，１０１ｂを通常の点灯状態にし、ステップＳ１３において算出された温度値を第１の表示パネル９４ａに表示するとともに記憶部９５に記憶された放射率を第２の表示パネル９４ｂに表示する。本例では、図８（ｄ）に示すように、温度値が第１の表示パネル９４ａに１２３．０℃と表示され、放射率が第２の表示パネル９４ｂに１．００と表示される。これにより、放射率設定処理が終了する。
【００８２】
このように、本実施の形態においては、測定対象物の放射率が不明な場合でも、温度値を設定することにより測定対象物の放射率を算出することができる。つまり、測定対象物の温度値または放射率のうちどちらか一方が明らかであれば放射率の設定が可能になる。そのため、測定対象物の温度を測定する他の手段がある場合には、使用者は、種々の物体の放射率を覚えておく必要がなく、また、測温の際に放射率表を携帯する必要もない。
【００８３】
また、温度値および放射率がそれぞれ第１の表示パネル９４ａおよび第２の表示パネル９４ｂにより同時に表示されるので、温度値または放射率を調整する際に、温度値の表示と放射率の表示とを切り替える必要がない。そのため、放射率の設定に要する時間を短縮することができる。
【００８４】
これらの結果、使用者の負担を軽減しかつ測温作業を効率化することが可能になる。
【００８５】
（第２の実施の形態）
第２の実施の形態に係る放射温度計が第１の実施の形態に係る放射温度計１００と異なるのは以下の点である。
【００８６】
図９および図１０は、第２の実施の形態におけるＣＰＵ９３（図３参照）の放射率設定処理の一例を示すフローチャートである。なお、図示していないが、ステップＳ１〜ステップＳ６の処理は、図５のフローチャートと同様に行う。
【００８７】
第２の実施の形態においては、図５のステップＳ３においてセットキー９６ｄが押下されていない場合、図９に示すように、ＣＰＵ９３は、上キー９６ａまたは下キー９６ｂが押下されたか否かを判別する（ステップＳ７）。上キー９６ａまたは下キー９６ｂが押下されていない場合、ＣＰＵ９３は、図５のステップＳ３の処理に戻る。
【００８８】
ステップＳ７において、上キー９６ａまたは下キー９６ｂが押下された場合、ＣＰＵ９３は、第１の表示パネル９４ａに表示される温度値を変更する（ステップＳ８）。
【００８９】
次に、ＣＰＵ９３は、変更後の温度値ならびに図２のヘッド部１００Ａから与えられる検出温度値および内部温度値に基づいて放射率を算出し、算出した放射率を図３の記憶部９５に記憶する（ステップＳ８ａ）。
【００９０】
次に、ＣＰＵ９３は、ステップＳ８ａにおいて記憶部９５に記憶された放射率ならびに上記の検出温度値および内部温度値に基づいて測定対象物の温度値を算出し、算出した温度値を第１の表示パネル９４ａに表示する（ステップＳ８ｂ）。
【００９１】
次に、ＣＰＵ９３は、セットキー９６ｄが押下されたか否かを判別する（ステップＳ９）。セットキー９６ｄが押下されていない場合、ＣＰＵ９３は、上キー９６ａまたは下キー９６ｂが押下されたか否かを判別する（ステップＳ１０）。上キー９６ａまたは下キー９６ｂが押下されていない場合、ＣＰＵ９３は、ステップＳ９の処理に戻る。
【００９２】
ステップＳ１０において、上キー９６ａまたは下キー９６ｂが押下された場合、ＣＰＵ９３は、第１の表示パネル９４ａに表示される温度値を変更する（ステップＳ１１）。
【００９３】
次に、ＣＰＵ９３は、変更後の温度値ならびに図２のヘッド部１００Ａから与えられる検出温度値および内部温度値に基づいて放射率を算出し、算出した放射率を図３の記憶部９５に記憶する（ステップＳ１１ａ）。
【００９４】
次に、ＣＰＵ９３は、ステップＳ１１ａにおいて記憶部９５に記憶された放射率ならびに上記の検出温度値および内部温度値に基づいて測定対象物の温度値を算出し、算出した温度値を第１の表示パネル９４ａに表示する（ステップＳ１１ｂ）。その後、ＣＰＵ９３は、ステップＳ９の処理に戻る。
【００９５】
これらステップＳ９〜ステップＳ１１ｂの処理を繰り返すことすなわち上キー９６ａまたは下キー９６ｂを所定回押下することにより、第１の表示パネル９４ａに表示される温度値を所望の値に変更することができるとともに、変更した温度値に基づいて測定対象物の放射率を算出することができる。また、算出された放射率に基づいて、測定対象物の温度値を算出することができる。
【００９６】
ステップＳ９において、セットキー９６ｄが押下された場合、ＣＰＵ９３は、図５のステップＳ６の処理に進み、第１および第２の７セグメントＬＥＤ１０１ａ，１０１ｂを通常の点灯状態にし、第１の表示パネル９４ａに温度値を表示するとともに第２の表示パネル９４ｂに放射率を表示する。これにより、放射率設定処理が終了する。
【００９７】
図５のステップＳ５において、セットキー９６ｄが押下されていない場合、図１０に示すように、ＣＰＵ９３は、上キー９６ａまたは下キー９６ｂが押下されたか否かを判別する（ステップＳ１４）。上キー９６ａまたは下キー９６ｂが押下されていない場合、ＣＰＵ９３は、図５のステップＳ５の処理に戻る。
【００９８】
ステップＳ１４において、上キー９６ａまたは下キー９６ｂが押下された場合、ＣＰＵ９３は、第２の表示パネル９４ｂに表示される放射率を変更し、その放射率を図３の記憶部９５に記憶する（ステップＳ１５ａ）。
【００９９】
次に、ＣＰＵ９３は、ステップＳ１５ａにおいて記憶部９５に記憶された放射率ならびに上記の検出温度値および内部温度値に基づいて測定対象物の温度値を算出し、算出した温度値を第１の表示パネル９４ａに表示する（ステップＳ１５ｂ）。
【０１００】
次に、ＣＰＵ９３は、セットキー９６ｄが押下されたか否かを判別する（ステップＳ１６）。セットキー９６ｄが押下されていない場合、ＣＰＵ９３は、上キー９６ａまたは下キー９６ｂが押下されたか否かを判別する（ステップＳ１７）。上キー９６ａまたは下キー９６ｂが押下されていない場合、ＣＰＵ９３は、ステップＳ１６の処理に戻る。
【０１０１】
ステップＳ１７において、上キー９６ａまたは下キー９６ｂが押下された場合、ＣＰＵ９３は、第２の表示パネル９４ｂに表示される放射率を変更し、その放射率を図３の記憶部９５に記憶する（ステップＳ１８ａ）。
【０１０２】
次に、ＣＰＵ９３は、ステップＳ１８ａにおいて記憶部９５に記憶された放射率ならびに上記の検出温度値および内部温度値に基づいて測定対象物の温度値を算出し、算出した温度値を第１の表示パネル９４ａに表示する（ステップＳ１８ｂ）。その後、ＣＰＵ９３はステップＳ１６の処理に戻る。
【０１０３】
これらステップＳ１６〜Ｓ１８ｂの処理を繰り返すことすなわち上キー９６ａまたは下キー９６ｂを所定回押下することにより、第２の表示パネル９４ｂに表示される放射率を所望の値に設定することができるとともに、設定した放射率に基づいて測定対象物の温度を算出することができる。
【０１０４】
ステップＳ１６において、セットキー９６ｄが押下された場合、ＣＰＵ９３は、図５のステップＳ６の処理に進み、第１および第２の７セグメントＬＥＤ１０１ａ，１０１ｂを通常の点灯状態にし、第１の表示パネル９４ａに温度値を表示するとともに第２の表示パネル９４ｂに放射率を表示する。これにより、放射率設定処理が終了する。
【０１０５】
以上のように、本実施の形態においては、使用者によって温度値または放射率が変更されるのと同時に、ＣＰＵ９３が放射率および温度値の算出処理を行っている。この場合、使用者は、上キー９６ａまたは下キー９６ｂの操作をしつつ、その操作結果に応じた温度値または放射率をリアルタイムで確認することができる。
【０１０６】
（第３の実施の形態）
第３の実施の形態に係る放射温度計が第１の実施の形態に係る放射温度計と異なるのは以下の点である。
【０１０７】
図１１は、第３の実施の形態におけるＣＰＵ９３（図３参照）の放射率設定処理の一例を示すフローチャートである。
【０１０８】
第３の実施の形態においては、ステップＳ３においてセットキー９６ｄが押下された場合、図１１に示すように、ＣＰＵ９３は、第１の表示パネル９４ａに放射率を表示し、第２の表示パネル９４ｂに温度値を表示するとともに、第１の７セグメントＬＥＤを点滅させ、放射率を調整可能な状態にする（ステップＳ４ａ）。なお、この場合、第２の表示パネル９４ｂに表示される温度値の調整は不可能な状態になる。
【０１０９】
次に、ＣＰＵ９３は、セットキー９６ｄが押下されたか否かを判別する（ステップＳ５）。セットキー９６ｄが押下された場合、ＣＰＵ９３は、第１および第２の７セグメントＬＥＤ１０１ａ，１０１ｂを通常の点灯状態にし、第１の表示パネル９４ａに温度値を表示するとともに第２の表示パネル９４ｂに放射率を表示する（ステップＳ６）。
【０１１０】
ステップＳ５において、セットキー９６ｄが押下されていない場合、ＣＰＵ９３は、上キー９６ａまたは下キー９６ｂが押下されたか否かを判別する（ステップＳ１４）。上キー９６ａまたは下キー９６ｂが押下されていない場合、ＣＰＵ９３は、ステップＳ５の処理に戻る。
【０１１１】
ステップＳ１４において、上キー９６ａまたは下キー９６ｂが押下された場合、ＣＰＵ９３は、第１の表示パネル９４ａに表示される放射率を変更する（ステップＳ１５ｃ）。
【０１１２】
次に、ＣＰＵ９３は、セットキー９６ｄが押下されたか否かを判別する（ステップＳ１６）。セットキー９６ｄが押下されていない場合、ＣＰＵ９３は、上キー９６ａまたは下キー９６ｂが押下されたか否かを判別する（ステップＳ１７）。上キー９６ａまたは下キー９６ｂが押下されていない場合、ＣＰＵ９３は、ステップＳ１６の処理に戻る。
【０１１３】
ステップＳ１７において、上キー９６ａまたは下キー９６ｂが押下された場合、ＣＰＵ９３は、第１の表示パネル９４ａに表示される放射率を変更する（ステップＳ１８ｃ）。その後、ＣＰＵ９３は、ステップＳ１６の処理に戻る。
【０１１４】
これらステップＳ１６、ステップＳ１７およびステップＳ１８ｃの処理を繰り返すことすなわち上キー９６ａまたは下キー９６ｄを所定回押下することにより、第１の表示パネル９４ａに表示される放射率を所望の値に変更することができる。
【０１１５】
ステップＳ１６において、セットキー９６ｄが押下された場合、ＣＰＵ９３は、第１の表示パネル９４ａに現在表示されている放射率を図３の記憶部９５に記憶する（ステップＳ１９ａ）。それにより、放射率の値が設定される。
【０１１６】
次に、ＣＰＵ９３は、ステップＳ１３の処理に進み、記憶部９５に記憶された放射率ならびに上記の検出温度値および内部温度値に基づいて測定対象物の温度値を算出する。
【０１１７】
次に、ＣＰＵ９３は、ステップＳ６の処理に進み、第１および第２の７セグメントＬＥＤ１０１ａ，１０１ｂを通常の点灯状態にし、ステップＳ１３において算出された温度値を第１の表示パネル９４ａに表示するとともに記憶部９５に記憶された放射率を第２の表示パネル９４ｂに表示する。これにより、放射率設定処理が終了する。
【０１１８】
以上のように、本実施の形態においては、温度値および放射率のうち調整可能な値が常に第１の表示パネル９４ａに表示される。それにより、使用者は、温度値および放射率のうちどちらが調整可能であるかを容易に認識することができる。
【０１１９】
（第４の実施の形態）
第４の実施の形態に係る放射温度計が第１の実施の形態に係る放射温度計１００と異なるのは以下の点である。
【０１２０】
図１２および図１３は、第４の実施の形態におけるＣＰＵ９３（図３参照）の放射率設定処理の一例を示すフローチャートである。
【０１２１】
図１２示すように、まず、ＣＰＵ９３はモードキー９６ｃ（図４参照）が押下されたか否かを判別する（ステップＳ２１）。モードキー９６ｃが押下された場合、ＣＰＵ９３は、第１の表示パネル９４ａに温度値が表示されているか否かを判別する（ステップＳ２２）。第１の表示パネル９４ａに温度値が表示されている場合、ＣＰＵ９３は、第１の表示パネル９４ａに放射率を表示し、第２の表示パネル９４ｂに温度値を表示する。すなわち、第１の表示パネル９４ａに表示される値と第２の表示パネル９４ｂに表示される値とを入れ替える。
【０１２２】
次に、ＣＰＵ９３は、セットキー９６ｄが押下されたか否かを判別する（ステップＳ２４）。セットキー９６ｄが押下されていない場合、ＣＰＵ９３は、ステップＳ２１の処理に戻る。
【０１２３】
ステップＳ２１においてモードキー９６ｃが押下されていない場合、ＣＰＵ９３は、第１の表示パネル９４ａに表示される値と第２の表示パネル９４ｂに表示される値とを入れ替えることなくステップＳ２４の処理に進む。
【０１２４】
ステップＳ２２において第１の表示パネル９４ａに放射率が表示されている場合、ＣＰＵ９３は、第１の表示パネル９４ａに温度値を表示し、第２の表示パネル９４ｂに放射率を表示する（ステップＳ２５）。すなわち、第１の表示パネル９４ａに表示される値と第２の表示パネル９４ｂに表示される値とを入れ替える。その後、ＣＰＵ９３はステップＳ２４の処理に進む。
【０１２５】
ステップＳ２４においてセットキー９６ｄが押下された場合、ＣＰＵ９３は、図１３に示すように、第１の７セグメントＬＥＤを点滅させるとともに第１の表示パネル９４ａに表示されている値を調整可能な状態にする（ステップＳ２６）。
【０１２６】
次に、ＣＰＵ９３は、セットキー９６ｄが押下されたか否かを判別する（ステップＳ２７）。セットキー９６ｄが押下されていない場合、ＣＰＵ９３は、上キー９６ａまたは下キー９６ｂが押下されたか否かを判別する（ステップＳ２８）。上キー９６ａまたは下キー９６ｂが押下されていない場合、ＣＰＵ９３は、ステップＳ２７の処理に戻る。
【０１２７】
ステップＳ２８において、上キー９６ａまたは下キー９６ｂが押下された場合、ＣＰＵ９３は、第１の表示パネル９４ａに表示される値を変更する（ステップＳ２９）。その後、ＣＰＵ９３は、ステップＳ２７の処理に戻る。
【０１２８】
これらステップＳ２７、ステップＳ２８およびステップＳ２９の処理を繰り返すことすなわち上キー９６ａまたは下キー９６ｂを所定回押下することにより、第１の表示パネル９４ａに表示される値を所望の値に変更することができる。
【０１２９】
ステップＳ２７において、セットキー９６ｄが押下された場合、ＣＰＵ９３は、第１の表示パネル９４ａに温度値が表示されているか否かを判別する（ステップＳ３０）。第１の表示パネル９４ａに温度値が表示されている場合、ＣＰＵ９３は、第１の表示パネル９４ａに現在表示されている温度値ならびに図２のヘッド部１００Ａから与えられる検出温度値および内部温度値に基づいて放射率を算出し、算出した放射率を図３の記憶部９５に記憶する（ステップＳ３１）。
【０１３０】
次に、ＣＰＵ９３は、記憶部９５に記憶された放射率ならびに上記の検出温度値および内部温度値に基づいて測定対象物の温度値を算出する（ステップＳ３３）。
【０１３１】
次に、ＣＰＵ９３は、第１および第２の７セグメントＬＥＤ１０１ａ，１０１ｂを通常の点灯状態にし、ステップＳ３２において算出された温度値を第１の表示パネル９４ａに表示するとともに記憶部９５に記憶された放射率を第２の表示パネル９４ｂに表示する（ステップＳ３３）。これにより、放射率設定処理が終了する。
【０１３２】
ステップＳ３０において、第１の表示パネル９４ｂに放射率が表示されている場合、ＣＰＵ９３は、第１の表示パネル９４ａに現在表示されている放射率を図３の記憶部９５に記憶する（ステップＳ３４）。それにより、放射率の値が設定される。
【０１３３】
次に、ＣＰＵ９３は、記憶部９５に記憶された放射率ならびに上記の検出温度値および内部温度値に基づいて測定対象物の温度値を算出する（ステップＳ３５）。
【０１３４】
次に、ＣＰＵ９３は、第１および第２の７セグメントＬＥＤ１０１ａ，１０１ｂを通常の点灯状態にし、記憶部９５に記憶された放射率を第１の表示パネル９４ａに表示するとともにステップＳ３５において算出された温度値を第２の表示パネル９４ｂに表示する（ステップＳ３６）。これにより、放射率設定処理が終了する。
【０１３５】
以上のように、本実施の形態においては、第１の表示パネル９４ａおよび第２の表示パネル９４ｂに表示される値を入れ替えることができる。この場合、使用者が第１の表示パネル９４ａおよび第２の表示パネル９４ｂに表示される値を任意に入れ替えることができるので、使い勝手が向上する。
【０１３６】
例えば、測定対象物の放射率の設定を頻繁に行う必要がある場合には、第１の表示パネル９４ａに放射率が表示されるように設定し、測定対象物の放射率の設定をほとんど行う必要がない場合には、第１の表示パネル９４ａに温度値を表示すればよい。
【０１３７】
（第５の実施の形態）
第５の実施の形態に係る放射温度計が第１の実施の形態に係る放射温度計１００と異なるのは以下の点である。
【０１３８】
図１４〜図１７は、第５の実施の形態におけるＣＰＵ９３（図３参照）の放射率設定処理の一例を示すフローチャートである。なお、放射率設定処理開始前の表示部９４は、図６（ａ）に示す状態であるとする。
【０１３９】
図１４に示すように、まず、ＣＰＵ９３はセットキー９６ｄ（図６参照）が押下されたか否かを判別する（ステップＳ４１）。セットキー９６ｄが押下されていない場合、ＣＰＵ９３は、セットキー９６ｄが押下されるまで待機する。
【０１４０】
ステップＳ４１において、使用者が放射率設定処理を開始しようとしてセットキー９６ｄを押下した場合、ＣＰＵ９３は、図６（ｂ）に示すように、第１の７セグメントＬＥＤ１０１ａを点滅させるとともに、第１の表示パネル９４ａに表示される温度値を調整可能な状態にする（ステップＳ４２）。
【０１４１】
次に、ＣＰＵ９３は、セットキー９６ｄが押下されたか否かを判別する（ステップＳ４３）。セットキー９６ｄが押下された場合、ＣＰＵ９３は、温度値を変更することなく第１および第２の７セグメントＬＥＤ１０１ａ，１０１ｂを通常の点灯状態にし、第１の表示パネル９４ａに温度値を表示するとともに第２の表示パネル９４ｂに放射率を表示する（ステップＳ４４）。本例では、図６（ａ）の状態になり、温度値が第１の表示パネル９４ａに１２７．５℃と表示され、放射率が第２の表示パネル９４ｂに０．９５と表示される。
【０１４２】
ステップＳ４３において、セットキー９６ｄが押下されていない場合、ＣＰＵ９３は、モードキー９６ｃ（図６参照）が押下されたか否かを判別する（ステップＳ４５）。モードキー９６ｃが押下された場合、ＣＰＵ９３は、図６（ｃ）に示すように、第２の７セグメントＬＥＤ１０１ｂを点滅させるとともに、第２の表示パネル９４ｂに表示される放射率を調整可能な状態にし、さらに、第１の７セグメント１０１ａを通常の点灯状態に戻す（図１５のステップＳ４６参照）。
【０１４３】
次に、ＣＰＵ９３は、セットキー９６ｄが押下されたか否かを判別する（ステップＳ４７）。セットキー９６ｄが押下された場合、ＣＰＵ９３は、放射率を変更することなく図１４のステップＳ４４の処理に進む。本例では、図６（ａ）の状態になり、温度値が第１の表示パネル９４ａに１２７．５℃と表示され、放射率が第２の表示パネル９４ｂに０．９５と表示される。
【０１４４】
ステップＳ４７において、セットキー９６ｄが押下されていない場合、ＣＰＵ９３は、モードキー９６ｃが押下されたか否かを判別する（ステップＳ４８）。モードキー９６ｃが押下された場合、ＣＰＵ９３は、図１４のステップＳ４２の処理に戻る。
【０１４５】
ステップＳ４８において、モードキー９６ｃが押下されていない場合、ＣＰＵ９３は、上キー９６ａまたは下キー９６ｂ（図６参照）が押下されたか否かを判別する（ステップＳ４９）。上キー９６ａまたは下キー９６ｂが押下されていない場合、ＣＰＵ９３は、ステップＳ４７の処理に戻る。
【０１４６】
ステップＳ４９において上キー９６ａまたは下キー９６ｂが押下された場合、図１６に示すように、ＣＰＵ９３は、第２の表示パネル９４ｂに表示される放射率を変更する（ステップＳ５０）。例えば、ステップＳ４９において表示部９４が図６（ｃ）の状態である場合に、使用者が上キー９６ａを押下すると、図８（ａ）に示すように、第２の表示パネル９４ｂに表示される放射率が０．９６に変更される。
【０１４７】
次に、ＣＰＵ９３は、セットキー９６ｄが押下されたか否かを判別する（ステップＳ５１）。セットキー９６ｄが押下されていない場合、ＣＰＵ９３は、モードキー９６ｃが押下されたか否かを判別する（ステップＳ５２）。モードキー９６ｃが押下された場合、ＣＰＵ９３は、放射率を放射率設定処理開始時の値（本例では、０．９５）に戻す（ステップＳ５３）。その後、図１４のステップＳ４２の処理に進む。
【０１４８】
ステップＳ５２において、モードキー９６ｃが押下されていない場合、ＣＰＵ９３は、上キー９６ａまたは下キー９６ｂが押下されたか否かを判別する（ステップＳ５４）。上キー９６ａまたは下キー９６ｂが押下されていない場合、ＣＰＵ９３は、ステップＳ５１の処理に戻る。
【０１４９】
ステップＳ５４において、上キー９６ａまたは下キー９６ｂが押下された場合、ＣＰＵ９３は、第２の表示パネル９４ｂに表示される放射率を変更する（ステップＳ５５）。その後、ＣＰＵ９３は、ステップＳ５１の処理に戻る。例えば、ステップＳ５４において表示部９４が図８（ａ）の状態である場合に、使用者が上キー９６ａを押下すると、図８（ｂ）に示すように、第２の表示パネル９４ｂに表示される放射率が０．９７に変更される。
【０１５０】
これらのステップＳ５１、ステップＳ５２、ステップＳ５４およびステップＳ５５の処理を繰り返すことすなわち上キー９６ａまたは下キー９６ｄを所定回押下することにより、第２の表示パネル９４ｂに表示される放射率を所望の値に変更することができる。
【０１５１】
図１５のステップＳ５１においてセットキー９６ｄが押下された場合、ＣＰＵ９３は、第２の表示パネル９４ｂに現在表示されている放射率を図３の記憶部９５に記憶する（ステップＳ５６）。それにより、放射率の値が設定される。
【０１５２】
次に、ＣＰＵ９３は、記憶部９５に記憶された放射率ならびに図２のヘッド部１００Ａから与えられる検出温度値および内部温度値に基づいて測定対象物の温度値を算出する（ステップＳ５７）。
【０１５３】
その後、ＣＰＵ９３は、図１４のステップＳ４４の処理に進み、第１および第２の７セグメントＬＥＤ１０１ａ，１０１ｂを通常の点灯状態にし、第１の表示パネル９４ａに温度値を表示するとともに第２の表示パネル９４ｂに放射率を表示する。
【０１５４】
図１４のステップＳ４５においてモードキー９６ｃが押下されていない場合、ＣＰＵ９３は、上キー９６ａまたは下キー９６ｂが押下されたか否かを判別する（ステップＳ５８）。上キー９６ａまたは下キー９６ｂが押下されていない場合、ＣＰＵ９３は、ステップＳ４３の処理に戻る。
【０１５５】
ステップＳ５８において上キー９６ａまたは下キー９６ｂが押下された場合、図１７に示すように、ＣＰＵ９３は、第１の表示パネル９４ａに表示される温度値を変更する（ステップＳ５９）。例えば、図１４のステップＳ５８において表示部９４が図６（ｂ）の状態である場合に、使用者が下キー９６ｂを押下すると、図７（ａ）に示すように、第１の表示パネル９４ａに表示される温度値が１２７．４℃に変更される。
【０１５６】
次に、ＣＰＵ９３は、セットキー９６ｄが押下されたか否かを判別する（ステップＳ６０）。セットキー９６ｄが押下されていない場合、ＣＰＵ９３は、モードキー９６ｃが押下されたか否かを判別する（ステップＳ６１）。モードキー９６ｃが押下された場合、ＣＰＵ９３は、温度値を放射率設定処理開始時の値（本例では、１２７．５℃）に戻す（ステップＳ６２）。その後、図１５のステップＳ４６の処理に進む。
【０１５７】
ステップＳ６１においてモードキー９６ｃが押下されていない場合、ＣＰＵ９３は、上キー９６ａまたは下キー９６ｂが押下されたか否かを判別する（ステップＳ６３）。上キー９６ａまたは下キー９６ｂが押下されていない場合、ＣＰＵ９３は、ステップＳ６０の処理に戻る。
【０１５８】
ステップＳ６３において、上キー９６ａまたは下キー９６ｂが押下された場合、ＣＰＵ９３は、第１の表示パネル９４ａに表示される温度値を変更する（ステップＳ６４）。その後、ＣＰＵ９３は、ステップＳ６０の処理に戻る。例えば、ステップＳ６３において表示部９４が図７（ａ）の状態である場合に、使用者が下キー９６ｂを押下すると、図７（ｂ）に示すように、第１の表示パネル９４ａに表示される温度値が１２７．３℃に変更される。
【０１５９】
これらのステップＳ６０、ステップＳ６１、ステップＳ６３およびステップＳ６４の処理を繰り返すことすなわち上キー９６ａまたは下キー９６ｂを所定回押下することにより、第１の表示パネル９４ａに表示される温度値を所望の値に変更することができる。
【０１６０】
ステップＳ６０においてセットキー９６ｄが押下された場合、ＣＰＵ９３は、第１の表示パネル９４ａに現在表示されている温度値ならびに図２のヘッド部１００Ａから与えられる検出温度値および内部温度値に基づいて放射率を算出し、算出した放射率を図３の記憶部９５に記憶する（ステップＳ６５）。
【０１６１】
次に、ＣＰＵ９３は、記憶部９５に記憶された放射率ならびに上記の検出温度値および内部温度値に基づいて測定対象物の温度値を算出する（ステップＳ６６）。
【０１６２】
その後、ＣＰＵ９３は、図１４のステップＳ４４の処理に進み、第１および第２の７セグメントＬＥＤ１０１ａ，１０１ｂを通常の点灯状態にし、第１の表示パネル９４ａに温度値を表示するとともに第２の表示パネル９４ｂに放射率を表示する。
【０１６３】
以上のように、本実施の形態においては、放射率の変更中にモードキー９６ｃを押下することにより、変更された放射率を放射率設定処理前の値に戻すことができる。それにより、例えば、使用者が放射率を誤った値に変更した場合に、放射率の変更を容易にやり直すことができる。
【０１６４】
また、温度値の変更中にモードキー９６ｃを押下することにより、変更された温度値を放射率設定処理前の値に戻すことができるとともに、その後、放射率を変更することができる。それにより、例えば、使用者が放射率を変更する際に誤って温度値を変更した場合に、容易に温度値を変更前の値に戻すとともに放射率を変更することができる。その結果、放射率設定処理を正確かつ迅速に行うことができる。
【０１６５】
なお、本実施の形態においては、図１６のステップＳ５７から図１４のステップＳ４４の処理に進む場合すなわち放射率を使用者が直接変更した場合には、ステップＳ４４において、温度値が表示されている第１の表示パネル９４ａの第１の７セグメントＬＥＤ１０１ａを所定時間（例えば、３秒）点滅させることが好ましい。また、図１７のステップＳ６６から図１４のステップＳ４４の処理に進む場合すなわち使用者により変更された温度値からＣＰＵ９３が放射率を算出した場合には、ステップＳ４４において、放射率が表示されている第２の表示パネル９４ｂの第２の７セグメントＬＥＤ１０１ｂを所定時間（例えば、３秒）点滅させることが好ましい。これらのように第１および第２の７セグメントＬＥＤ１０１ａ，１０１ｂを点滅させることにより、放射率および温度値の変更過程を使用者は容易に確認することができる。
【０１６６】
（他の実施の形態）
上記実施の形態においては、図６、図７および図８に示すように、第１の７セグメントＬＥＤ１０１ａまたは第２の７セグメントＬＥＤ１０１ｂを点滅させることにより、第１の表示パネル９４ａに表示される値および第２の表示パネル９４ｂに表示される値のうちどちらが調整可能な状態にあるのかを使用者に認識させているが、第１の表示灯１０２ａまたは第２の表示灯１０２ｂを点灯させることにより第１の表示パネル９４ａに表示される値および第２の表示パネル９４ｂに表示される値のうちどちらが調整可能な状態にあるのかを使用者に認識させてもよい。
【０１６７】
また、図２のヘッド部１００ＡのＣＰＵ３４に測定対象物の温度値および放射率を算出させてもよく、図２のヘッド部１００Ａの記憶部３５に測定対象物の温度値および放射率を算出するための演算式ならびに算出または変更された温度値および放射率を記憶させてもよい。
【０１６８】
（請求項の各構成要素と実施の形態の各部との対応）
本実施の形態においては、サーモパイル１０が赤外線検出手段に相当し、第１の表示パネル９４ａが第１の表示領域に相当し、第２の表示パネル９４ｂが第２の表示領域に相当し、上キー９６ａおよび下キー９６ｂが第１および第２の調整手段に相当し、ＣＰＵ９３が放射率算出手段および温度算出手段に相当し、記憶部９５が記憶手段に相当する。
【０１６９】
また、セットキー９６ｄが第１および第２の切替手段に相当し、第１の７セグメントＬＥＤ１０１ａまたは第１の表示灯１０２ａが第１の指示手段に相当し、第２の７セグメントＬＥＤ１０１ｂまたは第２の表示灯１０２ｂが第２の指示手段に相当し、ＣＰＵ９３が第１および第２の表示形態変化手段に相当し、モードキー９６ｃが入替手段に相当する。
【産業上の利用可能性】
【０１７０】
本発明は、物体から放射される赤外線エネルギーに基づいて物体の温度変化等を検出することに利用可能である。
【図面の簡単な説明】
【０１７１】
【図１】本発明の実施の形態に係る放射温度計のブロック図である。
【図２】図１のヘッド部のブロック図である。
【図３】図１の本体部のブロック図である。
【図４】本発明の実施の形態に係る放射温度計の一例を示す外観斜視図である。
【図５】ＣＰＵの放射率設定処理の一例を示すフローチャートである。
【図６】放射率設定処理時の表示部の状態の一例を示した図である。
【図７】放射率設定処理時の表示部の状態の一例を示した図である。
【図８】放射率設定処理時の表示部の状態の一例を示した図である。
【図９】第２の実施の形態におけるＣＰＵの放射率設定処理の一例を示すフローチャートである。
【図１０】第２の実施の形態におけるＣＰＵの放射率設定処理の一例を示すフローチャートである。
【図１１】第３の実施の形態におけるＣＰＵの放射率設定処理の一例を示すフローチャートである。
【図１２】第４の実施の形態におけるＣＰＵの放射率設定処理の一例を示すフローチャートである。
【図１３】第４の実施の形態におけるＣＰＵの放射率設定処理の一例を示すフローチャートである。
【図１４】第５の実施の形態におけるＣＰＵ（図３参照）の放射率設定処理の一例を示すフローチャートである。
【図１５】第５の実施の形態におけるＣＰＵ（図３参照）の放射率設定処理の一例を示すフローチャートである。
【図１６】第５の実施の形態におけるＣＰＵ（図３参照）の放射率設定処理の一例を示すフローチャートである。
【図１７】第５の実施の形態におけるＣＰＵ（図３参照）の放射率設定処理の一例を示すフローチャートである。
【符号の説明】
【０１７２】
１０  サーモパイル
１１  赤外線受光部
１２  サーミスタ
３４，９３  ＣＰＵ
３５，９５  記憶部
９４  表示部
９４ａ  第１の表示パネル
９４ｂ  第２の表示パネル
９６  操作設定部
９６ａ  上キー
９６ｂ  下キー
９６ｄ  セットキー
１００  放射温度計
１００Ａ  ヘッド部
１００Ｂ  本体部
１０１ａ  第１の７セグメントＬＥＤ
１０１ｂ  第２の７セグメントＬＥＤ
１０２ａ  第１の表示灯
１０２ｂ  第２の表示灯
【図１】
2006292713.tif 000003
【図２】
2006292713.tif 000004
【図３】
2006292713.tif 000005
【図４】
2006292713.tif 000006
【図５】
2006292713.tif 000007
【図６】
2006292713.tif 000008
【図７】
2006292713.tif 000009
【図８】
2006292713.tif 000010
【図９】
2006292713.tif 000011
【図１０】
2006292713.tif 000012
【図１１】
2006292713.tif 000013
【図１２】
2006292713.tif 000014
【図１３】
2006292713.tif 000015
【図１４】
2006292713.tif 000016
【図１５】
2006292713.tif 000017
【図１６】
2006292713.tif 000018
【図１７】
2006292713.tif 000019